(57)【要約】      （修正有）【課題】確実に気密状態で固定することができ、かつ防湿シート本体の損傷も確実に防止することができる押し花飾および押し花飾用防湿シートを得る。【解決手段】防湿シート本体5、防湿シート本体の下面外周部寄りの部位に防湿シート本体の外周部寄りの部位の接着あるいは粘着部にしわが生じないように接着剤や粘着剤で枠状に固定されたしわ防止板8、しわ防止板の内側面に位置する防湿シート本体部位が下方へ突出する傾斜面となるように形成された凹部10とからなる押し花飾用防湿シート11と、この防湿シートの凹部内に設置された台紙14、この台紙上に配置された押し花と、防湿シートの上部を覆い防湿シートの接着あるいは粘着部で接着剤や粘着剤によって密封状態で固定された防湿透明板17とで押し花飾を構成している。【選択図】  図８
2005001156.tif 000002
【特許請求の範囲】
【請求項１】
アルミ箔等の防湿シート本体、この防湿シート本体の下面外周部寄りの部位に、該防湿シート本体の外周部寄りの部位の接着あるいは粘着部にしわが生じないように接着剤や粘着剤で枠状に固定されたしわ防止板、この枠状に固定されたしわ防止板の内側面に位置する、前記防湿シート本体部位が下方へ突出する傾斜面となるように形成された凹部とからなる押し花飾用防湿シートと、この押し花飾用防湿シートの凹部内に設置された台紙と、この台紙上に配置された押し花と、前記押し花飾用防湿シートの上部を覆い、該押し花飾用防湿シートの接着あるいは粘着部で接着剤や粘着剤によって密封状態で固定された防湿透明板とからなることを特徴とする押し花飾。
【請求項２】
アルミ箔等の防湿シート本体、この防湿シート本体の下面外周部寄りの部位に、該防湿シート本体の外周部寄りの部位の接着あるいは粘着部にしわが生じないように接着剤や粘着剤で枠状に固定された内側の下部側が内側に突出する傾斜面のしわ防止板、この枠状に固定されたしわ防止板の内側の傾斜面に位置する、前記防湿シート本体部位を該傾斜面に当接する傾斜面に形成して形成された凹部とからなる押し花飾用防湿シートと、この押し花飾用防湿シートの凹部内に設置された台紙と、この台紙上に配置された押し花と、前記押し花飾用防湿シートの上部を覆い、該押し花飾用防湿シートの接着あるいは粘着部で接着剤や粘着剤によって密封状態で固定された防湿透明板とからなることを特徴とする押し花飾。
【請求項３】
アルミ箔等の防湿シート本体と、この防湿シート本体の下面外周部寄りの部位に、該防湿シート本体の外周部寄りの部位の接着あるいは粘着部にしわが生じないように接着剤や粘着剤で枠状に固定されたしわ防止板と、この枠状に固定されたしわ防止板の内側面に位置する、前記防湿シート本体部位が下方へ突出する傾斜面となるように形成された凹部とからなることを特徴とする押し花飾用防湿シート。
【請求項４】
アルミ箔等の防湿シート本体と、この防湿シート本体の下面外周部寄りの部位に、該防湿シート本体の外周部寄りの部位の接着あるいは粘着部にしわが生じないように接着剤や粘着剤で枠状に固定された内側の下部側が内側に突出する傾斜面のしわ防止板と、この枠状に固定されたしわ防止板の内側の傾斜面に位置する、前記防湿シート本体部位を該傾斜面に当接する傾斜面に形成して形成された凹部とからなることを特徴とする押し花飾用防湿シート。
【請求項５】
防湿シート本体はアルミ箔と、このアルミ箔の下面にコーティングあるいは粘着固定された柔軟性を有する樹脂フィルムとで構成されていることを特徴とする請求項１ないし請求項４いずれかに記載の押し花飾あるいは押し花飾用防湿シート。
【発明の詳細な説明】
【０００１】
【発明の属する技術分野】
本発明は押し花を額縁等に収納して飾ることができる押し花飾および押し花飾用防湿シートに関する。
【０００２】
【従来の技術】
従来の押し花飾は下面外周部にしわ防止板を枠状に固定されたアルミ箔の上面に脱酸素剤や乾燥剤を位置させた後、台紙と押し花を配置し、これらを覆うようにガラス板を位置させ、該ガラス板の外周部と前記アルミ箔の外周部とを接着剤で密封状態に固定している。
【０００３】
【特許文献】特開２００２−１０３８９６
【０００４】
【発明が解決しようとする課題】
従来の押し花飾は下面外周部に枠状にしわ防止板が固定されたアルミ箔の上面に脱酸素剤や乾燥剤、台紙、押し花を配置してガラス板の外周部とアルミ箔の外周部とを接着剤で固定するため、該ガラス板とアルミ箔の固定時にアルミ箔上に配置された脱酸素剤や乾燥剤、台紙、押し花の重ねられた寸法分だけ下方へ突出するように押し圧操作を行なうため、枠状にしわ防止板を固定しても、該部にしわが生じて気密性が損なわれたり、アルミ箔を損傷させてしまう等の欠点があった。
【０００５】
本発明は以上のような従来の欠点に鑑み、押し花飾用防湿シートの接着あるいは粘着部と防湿透明板との接着あるいは粘着固定時に、防湿シート本体に引張り力が作用することなく、確実に気密状態で固定することができ、かつ防湿シート本体の損傷も確実に防止することができる押し花飾および押し花飾用防湿シートを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明はアルミ箔等の防湿シート本体、この防湿シート本体の下面外周部寄りの部位に、該防湿シート本体の外周部寄りの部位の接着あるいは粘着部にしわが生じないように接着剤や粘着剤で枠状に固定されたしわ防止板、この枠状に固定されたしわ防止板の内側面に位置する、前記防湿シート本体部位が下方へ突出する傾斜面となるように形成された凹部とからなる押し花飾用防湿シートと、この押し花飾用防湿シートの凹部内に設置された台紙と、この台紙上に配置された押し花と、前記押し花飾用防湿シートの上部を覆い、該押し花飾用防湿シートの接着あるいは粘着部で接着剤や粘着剤によって密封状態で固定された防湿透明板とで押し花飾を構成している。
【０００８】
本発明はアルミ箔等の防湿シート本体と、この防湿シート本体の下面外周部寄りの部位に、該防湿シート本体の外周部寄りの部位の接着あるいは粘着部にしわが生じないように接着剤や粘着剤で枠状に固定されたしわ防止板と、この枠状に固定されたしわ防止板の内側面に位置する、前記防湿シート本体部位が下方へ突出する傾斜面となるように形成された凹部とで押し花飾用防湿シートを構成している。
【０００９】
【発明の実施の形態】
以下、図面に示す実施の形態により、本発明を詳細に説明する。
【００１０】
図１ないし図８に示す本発明の第１の実施の形態において、１は額縁２に収納して飾ることができる本発明の押し花飾で、この押し花飾１はアルミ箔３の下面に柔軟性を有する樹脂フィルム４がコーティングあるいは粘着固定された防湿シート本体５、この防湿シート本体５の下面外周部寄りの部位に、該防湿シート本体５の外周部寄りの部位の接着あるいは粘着部６にしわが生じないように接着剤や粘着剤７で枠状に固定したしわ防止板８、８、８、８、この枠状に固定されたしわ防止板８、８、８、８の内側面に位置する、前記防湿シート本体５部位が下方へ突出する傾斜面９となるように、必要に応じて傾斜面形成用の型材を用いたりして指先等で押し圧しながらスライド移動させて形成された凹部１０とからなる押し花飾用防湿シート１１と、この押し花飾用防湿シート１１の凹部１０内に設置した脱酸素材１２、乾燥剤１３および台紙１４と、この台紙１４上に配置された押し花１５と、前記押し花飾用防湿シート１１の上部を覆い、該押し花飾用防湿シート１１の接着あるいは粘着部６にリング状に塗布した接着剤あるいは粘着剤１６によって密封状態で固定された防湿処理されたアクリル板あるいはガラス板等の防湿透明板１７とで構成されている。
【００１１】
上記構成の押し花飾１は枠状に固定されたしわ防止板８、８、８、８の内側部位の防湿シート本体５に凹部１０を形成し、該凹部１０内に脱酸素剤１２、乾燥剤１３、台紙１４、押し花１５を収納できるため、押し花飾用防湿シート１１の接着あるいは粘着部６と防湿透明板１７とを接着剤あるいは粘着剤１６で密封状態で固定する場合に、接着あるいは粘着部６のしわ防止板８、８、８、８を押し圧して行なうが、台紙１４等が収納された部位が防湿透明板１７方向に突出状態にならないため、接着あるいは粘着部６にしわが生じるような応力の作用がなく、きれいに密封状態に固定することができるとともに、台紙１４や脱酸素剤１２、乾燥剤１３の角部で防湿シート本体５を損傷させる事故も確実に防止することができる。
【００１２】
【発明の異なる実施の形態】
次に、図９ないし図１４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図９ないし図１１に示す本発明の第２の実施の形態において、前記本発明の第１の実施の形態と主に異なる点は、内側の下部側が内側に突出する傾斜面１８に形成されたしわ防止板８Ａ、８Ａ、８Ａ、８Ａを用いて、枠状に防湿シート本体５の下面に接着あるいは粘着固定し、該枠状のしわ防止板８Ａ、８Ａ、８Ａ、８Ａの傾斜面１８、１８、１８、１８に沿うように押し圧しながらスライド移動させて、防湿シート本体５に凹部１０を形成した押し花飾用防湿シート１１Ａを用いた点で、このように形成された押し花飾用防湿シート１１Ａを用いて構成した押し花飾１Ａにしても、前記本発明の第１の実施の形態と同様な作用効果が得られる。
【００１４】
図１２ないし図１４に示す本発明の第３の実施の形態において、前記本発明の第１の実施の形態と主に異なる点は、アルミ箔を防湿シート本体５Ａとして使用した押し花飾用防湿シート１１Ｂを用いた点で、このような押し花飾用防湿シート１１Ｂを用いて構成した押し花飾１Ｂにしても、前記本発明の第１の実施の形態と同様な作用効果が得られる。
【００１５】
【発明の効果】
以上の説明から明らかなように、本発明にあっては次に列挙する効果が得られる。
【００１６】
（１）アルミ箔等の防湿シート本体、この防湿シート本体の下面外周部寄りの部位に、該防湿シート本体の外周部寄りの部位の接着あるいは粘着部にしわが生じないように接着剤や粘着剤で枠状に固定されたしわ防止板、この枠状に固定されたしわ防止板の内側面に位置する、前記防湿シート本体部位が下方へ突出する傾斜面となるように形成された凹部とからなる押し花飾用防湿シートと、この押し花飾用防湿シートの凹部内に設置された台紙と、この台紙上に配置された押し花と、前記押し花飾用防湿シートの上部を覆い、該押し花飾用防湿シートの接着あるいは粘着部で接着剤や粘着剤によって密封状態で固定された防湿透明板とで構成されているので、押し花飾用防湿シートと防湿透明板とを外周部寄りの部位で接着剤あるいは粘着剤で密封状態に固定する場合に、防湿シート本体に形成された凹部内に台紙等を収納でき、従来のように防湿シート本体を伸長させるような応力を加えることなく密封固定することができる。
したがって、接着あるいは粘着部にしわが生じるのを確実に阻止でき、長期間密封固定状態を保つことができる。
【００１７】
（２）前記（１）によって、枠状に固定されたしわ防止板の内側の防湿シート本体に凹部を形成するので、防湿シート本体への凹部の形が枠状のしわ防止板を利用して容易に形成することができるとともに、枠状のしわ防止板が固定された部位が接着あるいは粘着部となるため、該部にしわが生じるのを効率よく阻止することができる。
【００１８】
（３）前記（１）によって、構造が簡単であるので、容易に実施することができる。
【００１９】
（４）請求項２も前記（１）〜（３）と同様な効果が得られるとともに、防湿シート本体に形成する凹部を容易で、楽に行なうことができる。
【００２０】
（５）請求項３、４も前記（１）〜（３）と同様な効果が得られる。
【図面の簡単な説明】
【図１】本発明の第１の実施の形態の使用状態の正面図。
【図２】本発明の第１の実施の形態の正面図。
【図３】本発明の第１の実施の形態の背面図。
【図４】本発明の第１の実施の形態の側面図。
【図５】図１の５−５線に沿う断面図。
【図６】本発明の第１の実施の形態の押し花飾用防湿シートの斜視図。
【図７】押し花飾用防湿シートの底面を示す斜視図。
【図８】本発明の第１の実施の形態の分解斜視図。
【図９】本発明の第２の実施の形態の正面図。
【図１０】図９の１０−１０線に沿う断面図。
【図１１】押し花飾用防湿シートの一部破断斜視図。
【図１２】本発明の第３の実施の形態の正面図。
【図１３】図１２の１３−１３線に沿う断面図。
【図１４】押し花飾用防湿シートの一部破断斜視図。
【符号の説明】
１、１Ａ、１Ｂ：押し花飾、
２：額縁、              ３：アルミ箔、
４：樹脂フィルム、
５、５Ａ：防湿シート本体、
６：接着あるいは粘着部、７：接着剤や粘着剤、
８、８Ａ：しわ防止板、  ９：傾斜面、
１０：凹部、
１１、１１Ａ、１１Ｂ：押し花飾用防湿シート、
１２：脱酸素剤、        １３：乾燥剤、
１４：台紙、            １５：押し花、
１６：接着あるいは粘着剤、
１７：防湿透明板、      １８：傾斜面。
【図１】
2005001156.tif 000003
【図２】
2005001156.tif 000004
【図３】
2005001156.tif 000005
【図４】
2005001156.tif 000006
【図５】
2005001156.tif 000007
【図６】
2005001156.tif 000008
【図７】
2005001156.tif 000009
【図８】
2005001156.tif 000010
【図９】
2005001156.tif 000011
【図１０】
2005001156.tif 000012
【図１１】
2005001156.tif 000013
【図１２】
2005001156.tif 000014
【図１３】
2005001156.tif 000015
【図１４】
2005001156.tif 000016